(57)【要約】【課題】簡素な構造にして部品点数の削減を図ってコスト面で有利にすることができる照明器具を提供する。【解決手段】照明器具１０は、天井面１に埋設される器具本体１１と、ランプ１７を装着するソケット１６と、ソケット１６を固定するソケット台１４と、ソケット１６を挿通させるソケット穴１３を有し、ランプ１７を覆って器具本体１１に組み付けられる反射板１２と、を備え、ソケット台１４は、反射板１２のソケット穴１３の少なくとも一部を閉塞するソケット穴閉塞部１５を有する。【選択図】図１
2010244845.tif 000002
【特許請求の範囲】
【請求項１】
天井面に埋設される器具本体と、
ランプを装着するソケットと、
前記ソケットを固定するソケット台と、
前記ソケットを挿通させるソケット穴を有し、前記ランプを覆って前記器具本体に組み付けられる反射板と、
を備える照明器具であって、
前記ソケット台は、前記反射板の前記ソケット穴の少なくとも一部を閉塞するソケット穴閉塞部を有することを特徴とする照明器具。
【発明の詳細な説明】
【技術分野】
【０００１】
本発明は、例えば住宅等の天井面に埋設されて廊下や壁等を照明するダウンライトに用いられる照明器具に関する。
【背景技術】
【０００２】
本発明者らは、反射板を内装した器具本体の側部にソケット穴を形成し、ソケット穴に内嵌したパッキンのランプ密着穴に内挿したソケット台にランプを装着した照明器具を既に提案している（例えば、特許文献１参照）。
【先行技術文献】
【特許文献】
【０００３】
【特許文献１】特開２００６−２３６６６１号公報（図１、段落番号００１８）
【発明の概要】
【発明が解決しようとする課題】
【０００４】
通常、ランプとして蛍光灯を用いる埋込型の照明器具においては、外部から流通される冷風によりランプが冷やされてしまい、起動特性が低下する虞がある。
【０００５】
上記特許文献１に開示された従来の照明器具は、上記のような冷風の流通を遮断するために器具本体のソケット穴にパッキンを取り付けた。
【０００６】
しかし、上記特許文献１に開示された従来の照明器具では、冷風の流通を遮断するためのパッキンが器具本体や反射板とは別部品であった。
従って、別部品としてのパッキンにより部品点数の増加が避けられず、コスト面で不利になっていた。
【０００７】
本発明は、前述した課題を解決するためになされたものであり、その目的は、簡素な構造にして部品点数の削減を図ってコスト面で有利にすることができる照明器具を提供することにある。
【課題を解決するための手段】
【０００８】
本発明に係る照明器具は、天井面に埋設される器具本体と、ランプを装着するソケットと、前記ソケットを固定するソケット台と、前記ソケットを挿通させるソケット穴を有し、前記ランプを覆って前記器具本体に組み付けられる反射板と、を備える照明器具であって、前記ソケット台は、前記反射板の前記ソケット穴の少なくとも一部を閉塞するソケット穴閉塞部を有することを特徴とする。
【０００９】
本発明においては、ソケット台に反射板のソケット穴の少なくとも一部を閉塞するためのソケット穴閉塞部が一体的に形成される。
これにより、従来のもののように冷風の流通を遮断するためのパッキンを別部品として装備することなく冷風の流通を阻止する。
従って、簡素な構造として部品点数の削減を図ってコスト面で有利にすることができる。
【発明の効果】
【００１０】
本発明の照明器具によれば、ソケット台に、反射板のソケット穴の少なくとも一部を閉塞するソケット穴閉塞部を有する。
これにより、簡素な構造にして部品点数の削減を図ってコスト面で有利にすることができるという効果を有する。
【図面の簡単な説明】
【００１１】
【図１】本発明に係る第１実施形態の照明器具の斜め下方から視た一部破断外観斜視図
【図２】図１に示した照明器具の一部破断正面図
【図３】本発明に係る第２実施形態の照明器具の一部破断正面図
【発明を実施するための形態】
【００１２】
以下、本発明の複数の実施の形態に係る照明器具について図面を参照して説明する。
【００１３】
（第１実施形態）
図１に示すように、本発明の第１実施形態である照明器具１０は、器具本体１１と、ソケット穴１３を有する反射板１２と、ソケット穴底部閉塞部１５を有するソケット台１４と、ソケット１６と、ランプ１７と、を備えて住宅等の天井面１に形成された取付穴２に取り付けられる埋込型の照明器具である。
【００１４】
器具本体１１は、比較的薄い金属製板部材をプレス成形することにより板状に形成されて照明器具１０の天部に配置されている。
【００１５】
反射板１２は、器具本体１１と同様に比較的薄い金属製板部材をプレス成形することにより下方を開放した垂直断面視コ字形状に形成されている。反射板１２は天板１８と周板１９とフランジ部２０とを備えている。
【００１６】
天板１８は、複数の取付ネジ穴２１を有し、これら取付ネジ穴２１から器具本体１１に取付ネジ２２をねじ込むことにより反射板１２を器具本体１１に固定する。
【００１７】
周板１９は、円筒形状に形成されており、その一部にソケット穴１３を形成している。ソケット穴１３はソケット１６の外径寸法よりも大きい略円形に形成されている。
【００１８】
フランジ部２０は、周板１９の下端部から水平方向に鍔状に突出しているために天井面１に係止される。
【００１９】
ソケット台１４は、器具本体１１と同様に比較的薄い金属製板部材をプレス成形することにより形成されている。ソケット台１４は、器具本体固定板部２３と、ソケット固定板部２４と、底部延長板部２５と、ソケット穴底部閉塞部１５と、を備えて垂直断面視コ字形状に形成されている。
【００２０】
器具本体固定板部２３は、ソケット台１４の上部に略水平に配置されており、器具本体１１の底面に、例えば溶接等の接合手段により接合されている。
【００２１】
ソケット固定板部２４は、器具本体固定板部２３と同一の幅寸法を有して器具本体固定板部２３の端部から床面に向けて延出している。ソケット固定板部２４はソケット１６の外径寸法よりも大きい高さ寸法を有し、複数の取付ネジ穴２６を有する。
【００２２】
底部延長板部２５は、器具本体固定板部２３と同一の幅寸法を有してソケット固定板部２４の底部から器具本体固定板部２３に略平行に延出している。
【００２３】
ソケット穴底部閉塞部１５は、略半円形状に形成されて延長板２５の先端部からソケット固定板部２４に略平行に延出している。ソケット穴底部閉塞部１５は反射板１２のソケット穴１３に相似する曲率を有してソケット穴１３の内径寸法より大きい外径寸法を有する。
【００２４】
ソケット穴底部閉塞部１５は、器具本体固定板部２３が器具本体１１の底面に接合されて反射板１２の天板１８が器具本体１１に固定された際に、反射板１２に当接されてソケット穴１３の少なくとも一部である底部を閉塞する。
【００２５】
ソケット１６は、絶縁性を有する樹脂等を素材として円柱形状に形成されている。ソケット１６には不図示の一対の端子を内蔵している。
【００２６】
ソケット１６は、その基端部をソケット台１４のソケット固定板部２４に当接させてから、ソケット台１４のソケット固定板部２４に有する取付ネジ穴２６から取付ネジ２７をねじ込ませることによりソケット台１４に固定される。ソケット１６からは一対の端子にそれぞれ電気的に接続された不図示の器具配線が引き出され、それら器具配線は外部の点灯回路に電気的に接続される。
【００２７】
ランプ１７は、螺旋形に湾曲形成された発光管を有する蛍光灯型のランプであり、ねじ込みによりソケット１６に装着される。
【００２８】
図２に示すように、ソケット穴底部閉塞部１５が反射板１２に当接することにより、反射板１２のソケット穴１３は、その底部を閉塞されて冷風を流通させるための流通路が著しく小さくなる。
これにより、従来のもののように冷風の流通を遮断するためのパッキンを別部品として装備することなく冷風の流通を阻止することができる。
【００２９】
このような照明器具１０は、器具配線を通じて点灯回路からソケット１６内の一対の端子にそれぞれ電流が供給されることによりランプ１７が点灯動作を開始する。そのとき、ランプ１７は、ソケット穴底部閉塞部１５により反射板１２のソケット穴１３の底部が閉塞されている。
従って、外部から冷風が流通されておらず、起動特性に低下を生ずることなく確実に起動することになる。
【００３０】
本発明の第１実施形態の照明器具１０では、ソケット台１４に反射板１２のソケット穴１３の底部を閉塞するためのソケット穴底部閉塞部１５が一体的に形成される。
これにより、従来のもののように冷風の流通を遮断するためのパッキンを別部品として装備することなく冷風の流通を阻止する。
従って、簡素な構造として部品点数の削減を図ってコスト面で有利にすることができる。
【００３１】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００３２】
図３に示すように、本発明の第２実施形態の照明器具３０は、ソケット台１４に、器具本体固定板部２３と、ソケット固定板部２４と、底部延長板部２５と、一対の側部延長板部３１，３２と、ソケット穴底部閉塞部１５と、一対のソケット穴側部閉塞部３３，３４とを備える。
【００３３】
一対の側部延長板部３１，３２は、底部延長板部２５の両側部においてソケット固定板部２４の側部から底部延長板部２５と同様の長さを有して延出している。
【００３４】
一対のソケット穴側部閉塞部３３，３４は、略半円形状に形成されて側部延長板部３１，３２の先端部からソケット固定板部２４に略平行に延出している。
【００３５】
ソケット穴側部閉塞部３３，３４は、器具本体固定板部２３が器具本体１１の底面に接合されて反射板１２の天板１８が器具本体１１に固定された際に、反射板１２に当接されてソケット穴１３の少なくとも一部である両側部をそれぞれ閉塞する。なお、ソケット台１４は、上述したソケット穴底部閉塞部１５、一対のソケット穴側部閉塞部３３，３４に加えてソケット穴底部閉塞部１５に対向するようにソケット穴天部閉塞板部を形成しても良いことは言うまでもない。
【００３６】
このような照明器具３０は、器具配線を通じて点灯回路からソケット１６内の一対の端子にそれぞれ電流が供給されることによりランプ１７が点灯動作を開始する。そのとき、ランプ１７は、ソケット穴底部閉塞部１５により反射板１２のソケット穴１３の底部が閉塞されているとともにソケット穴側部閉塞部３３，３４により反射板１２のソケット穴１３の両側部が閉塞されている。
従って、外部から冷風が流通されておらず、起動特性に低下を生ずることなく確実に起動することになる。
【００３７】
本発明の第２実施形態の照明器具３０では、ソケット台１４に反射板１２のソケット穴１３の底部を閉塞するためのソケット穴底部閉塞部１５およびソケット穴１３の両側部を閉塞するためのソケット穴側部閉塞部３３，３４が一体的に形成される。
これにより、従来のもののように冷風の流通を遮断するためのパッキンを別部品として装備することなく冷風の流通を阻止する。
従って、簡素な構造として部品点数の削減を図ってコスト面で有利にすることができる。
【００３８】
なお、前記各実施形態で使用した器具本体１１、反射板１２、ソケット台１４、ソケット１６、ランプ１７等は例示したものに限定するものではなく適宜変更が可能である。
【符号の説明】
【００３９】
１  天井面
１０、３０  照明器具
１１  器具本体
１２  反射板
１３  ソケット穴
１４  ソケット台
１５  ソケット穴底部閉塞部（ソケット穴閉塞部）
１６  ソケット
１７  ランプ
３３、３４  ソケット穴側部閉塞部（ソケット穴閉塞部）
【図１】
2010244845.tif 000003
【図２】
2010244845.tif 000004
【図３】
2010244845.tif 000005